(57)【要約】【課題】複数枚の書類を収録したまま全ての書類を閲覧することが可能な収録用シート及び収録用品を提供する【解決手段】合成樹脂製の表シート１４と裏シート１５により袋状の収録部１８が形成されてなる収録用シート１１であり、少なくとも一辺に開口部１２が開放してあって、表シート１４の開口部１２の一部分が欠設１９しており、書類の一部を掛止するためのポケット状の挿入部２１を形成している。この収録用シート１１により、綴じられた複数枚からなる書類Ｐは、一番下の書類を収録用シート１１の開口部１２から袋状の収録部１８に綴じられた部分を除いた大部分を収録して、表シート１４の表側から収録部１８内の挿入部２１に掛止することによって、保管に際して書類が抜け落ちたりすることがなくなる。また、収録した書類Ｐを閲覧する場合は、袋状の収録部１８に収めている一番下の書類を含む全てを取り出すことなく、挿入部２１に掛止していた上部の書類だけを取り出すことによって全ての内容を見ることができる。【選択図】  図２
2004155012.tif 000002
【特許請求の範囲】
【請求項１】
表シートと裏シートとからなり、少なくとも一辺が開口された袋状のシートであって、表シートの開口辺の一部が切欠形成され、前記表シートに書類の一部を掛止するための挿入部が設けられたことを特徴とする収録用シート。
【請求項２】
請求項１に記載の収録用シートが複数枚重ね合わされて、その綴代部が表紙の背部に固着されたことを特徴とする収録用品。
【発明の詳細な説明】
【０００１】
【発明の属する技術分野】
本発明は、書類等を整理や収録、閲覧するための収録用シート及び収録用品に関するものである。
【０００２】
【従来の技術】
従来、書類を保管する場合は、関係する書類を綴り合わせておくことがある。その書類を整理収録するための収録用シートとしては、合成樹脂シートを袋状に形成し、その開口から書類を投入するものが知られている（例えば、特許文献１参照）。また、これら収録用シートを複数枚重ね合わせて側辺に設けた綴代を表紙の背部に溶着して収録用品としたものが一般的に知られている（例えば、特許文献２参照）。
【０００３】
【特許文献１】特開２００１−３０６７１号公報（段落０００５〜段落０００６、図５）
【特許文献２】実開平０６−２９８７５号公報（段落００１０〜段落００１１、図３）
【０００４】
【発明が解決しようとする課題】
ところで、従来の収録用シート及び収録用品における収録態様としては、一枚の書類を収録用シート内に収録する様態に限らず、複数枚の書類をステープルで片綴じし、これらを収録用シート内に仮収録する様態もみられる。
【０００５】
このような複数枚の書類をまとめて仮収録した場合、表側の書類は収録用シートの透明な表シートを通して目視することができるが、二枚目以降の書類を確認したい場合、その都度、収録用シートから綴じられた書類を全て取り出す必要があった。
【０００６】
そこで、本発明は、収録したまま全ての書類を閲覧することが可能な収録用シート及び収録用品を提供することを目的としている。
【０００７】
【課題を解決するための手段】
上記の目的を解決するために、本発明は、表シートと裏シートとからなり、少なくとも一辺が開口された袋状のシートであって、表シートの開口辺の一部が切欠形成され、前記表シートに書類の一部を掛止するための挿入部が設けられたことを特徴とする収録用シートを提供するものである。また本発明は、収録用シートが複数枚重ね合わされて、その綴代部が表紙の背部に固着されたことを特徴とする収録用品を提供するものである。
【０００８】
上記構成によると、ステープル等で綴じられた複数枚からなる書類は、綴じられた書類の最下部の書類を綴じられた部分を除く大部分をファイルの袋部分に収録して、その他の綴じられた書類は、表シートに設けられた挿入部に掛止することにより収録することが可能となる。このとき、ステープル部分は、表シートの開口辺の切欠部に配置することになるため、書類は収録用シートの開口辺から外側に突き出すこともない。また、その書類を閲覧する時には、表シートの表側に位置する書類を挿入部より取り出すことによって全てを見ることができる。
【０００９】
従って、綴じられた書類を収録したまま全てを閲覧することが可能な収録用シート及び収録用品を提供することができる。
【００１０】
【発明の実施の形態】
以下、本発明の実施形態を図面に基づいて説明する。
【００１１】
先ず、図１は本発明の好適な一例として、綴じられた書類Ｐの状態を示し、Ｐ１はステープルを示す。図１に示すように、複数枚からなる書類Ｐは、様々な位置で綴じることができる。例えば、図１（ａ）は、書類Ｐの左上コーナー部をステープルＰ１で一ヶ所綴じた左肩綴じ様態を示している。同図（ｂ）は、書類Ｐの上辺部分の二ヶ所をステープルＰ１で綴じた上綴じ様態を示している。同図（ｃ）は、書類Ｐの右上コーナー部の一ヶ所をステープルＰ１で綴じた右肩綴じ様態を示している。同図（ｄ）は、書類Ｐの左辺二ヶ所をステープルＰ１で綴じた左綴じ様態を示している。同図（ｅ）は、書類Ｐの右辺二ヶ所をステープルＰ１で綴じた右綴じ様態を示している。これら書類Ｐの綴じ方に応じた収録用シート及び収録用品を以下に説明する。
【００１２】
［第１の実施形態］
図２は第１の実施形態における収録用シートの概略斜視図、図３はその変形例を示す概略斜視図である。
【００１３】
図２（ａ）（ｂ）に示すように、本実施形態の収録用シート１１は、書類Ｐを挿入する開口部１２が上部にあるいわゆるトップインタイプである。このタイプの成形方法は、ポリプロピレンなどの合成樹脂製の方形状のシートを折り目１３で２つ折りにして、その表側を表シート１４、裏側を裏シート１５とする。裏シート１５は、表シート１４より横方向に長くして、該表シート１４より横方向に突出している部分を綴代部１６として構成する。綴代部１６は、長手方向に沿って綴じ込み用穴１７を一定の間隔で穿設しておく。表シート１４と裏シート１５は、綴代部１６側の左辺１４ｂと下辺１４ｃとが超音波等による熱融着によって閉鎖して、上辺１４ａを開口部１２として開放して袋状の収録部１８を形成している。
【００１４】
表シート１４の上辺１４ａは、開口部１２と平行に欠設１９してあり、書類Ｐの綴じた部分が表シート１４側に出るように段差を構成している。また、表シート１４には、下辺１４ｃ側に、上辺１４ａと平行なスリット２０が形成されており、それによって書類Ｐを掛止することのできるポケット状の挿入部２１を構成している。この挿入部２１には、スリット２０と平行に裏シート１５側に突起したけい線２２が設けられていて、それにより挿入部２１を表シート１４より少し浮き上がらせ、書類Ｐの誤挿入を防ぎ、また挿入した書類Ｐがずれないように抑えることができる。なお、収録用シート１１は、透明のシートにして中に収められた書類Ｐの内容をそのままの状態で読み取ることができるようになっている。
【００１５】
上記構成において、図２（ｂ）に示すように、複数枚で綴じられた書類Ｐを収録する場合は、まず一番下の書類を収録用シート１１の開口部１２から袋状の収録部１８に綴じられた部分を除いた大部分を収録して、他の上部の書類部分を、表シート１４の表側からスリット２０を通して収録部１８内の挿入部２１に掛止することによって、保管に際して書類Ｐが抜け落ちたりすることがなくなる。また、収録した書類Ｐを閲覧する場合は、袋状の収録部１８に収めている一番下の書類を含む全てを取り出すことなく、挿入部２１に掛止していた上部の書類だけを取り出すことによって全ての内容を見ることができる。
【００１６】
図３は、本実施形態における収録用シート１１の変形例の一例を示している。図３（ａ）は、欠設１９が表シート１４の左上コーナー部に形成してあって、下辺１４ｃ側に開口部１２と平行なスリット２０が形成されており、それによって書類Ｐを掛止することのできるポケット状の挿入部２１を構成している。また、図３（ｂ）は、欠設１９が表シート１４の上辺１４ａに、開口部１２と平行に形成してあって、右辺１４ｄにある一点２０ａから下辺１４ｃにある一点２０ｂとを放物線上にスリット２０を入れて挿入部２１を形成している。なお、図３（ａ）（ｂ）ともに挿入部２１には、スリット２０に平行で裏シート１５側に突出したけい線２２を形成している。
【００１７】
本実施形態の収録用シート１１のトップインタイプは、表シート１４の上辺１４ａの欠設１９の形状と表シート１４に設けられたスリット２０の形状の組合せによって様々な形態をなすことができる。また、収録用シート１１の形状において、一枚のシートを折り目１３に沿って折り返し、綴代部１６側の左辺１４ｂと下辺１４ｃとが熱融着によって閉鎖して袋形状に形成させているが、収録用シート１１が筒状に形成されたものを用いれば、下辺１４ｃの一辺を熱融着により閉鎖することによって製作において時間が短縮できる上、コスト的にも有利になる。
【００１８】
［第２の実施形態］
図４は第２の実施形態における収録用シートの概略斜視図、図５はその変形例を示す概略斜視図である。
【００１９】
図４（ａ）（ｂ）に示すように、本実施形態の収録用シート１１は、書類Ｐを挿入する開口部１２が左辺にあるいわゆる左側サイドインタイプである。このタイプの成形方法は、ポリプロピレンなどの合成樹脂製の方形状のシートを折り目１３で２つ折りにして、その表側を表シート１４、裏側を裏シート１５とする。裏シート１５は、表シート１４より横方向に長くして、該表シート１４より横方向に突出している部分を綴代部１６として構成する。綴代部１６は、長手方向に沿って綴じ込み用穴１７を一定の間隔で穿設しておく。表シート１４と裏シート１５は、上辺１４ａと下辺１４ｃとが超音波等による熱融着によって閉鎖して、綴代部１６側の左辺１４ｂを開口部１２として開放して袋状の収録部１８を形成している。
【００２０】
表シート１４の左辺１４ｂは、開口部１２と平行に欠設１９してあり、書類Ｐの綴じた部分が表シート１４側に出るように段差を構成している。また、表シート１４には、右辺１４ｄ側に、左辺１４ｂと平行なスリット２０が形成されており、それによって書類Ｐを掛止することのできるポケット状の挿入部２１を構成している。この挿入部２１には、スリット２０と平行に裏シート１５側に突起したけい線２２が設けられていて、それにより挿入部２１を表シート１４より少し浮き上がらせ、書類Ｐの誤挿入を防ぎ、また挿入した書類Ｐがずれないように抑えることができる。なお、収録用シート１１は、透明のシートにして中に収められた書類Ｐの内容をそのままの状態で読み取ることができるようになっている。
【００２１】
上記構成において、図４（ｂ）に示すように、複数枚で綴じられた書類Ｐを収録する場合は、まず一番下の書類を収録用シート１１の開口部１２から袋状の収録部１８に綴じられた部分を除いた大部分を収録して、他の上部の書類部分を、表シート１４の表側からスリット２０を通して収録部１８内の挿入部２１に掛止することによって、保管に際して書類Ｐが抜け落ちたりすることがなくなる。また、収録した書類Ｐを閲覧する場合は、袋状の収録部１８に収めている一番下の書類を含む全てを取り出すことなく、挿入部２１に掛止していた上部の書類だけを取り出すことによって全ての内容を見ることができる。
【００２２】
図５は、本実施形態における収録用シート１１の変形例の一例を示している。図５（ａ）は、欠設１９が表シート１４の左上コーナー部に形成してあって、右辺１４ｄ側に開口部１２と平行なスリット２０が形成されており、それによって書類Ｐを掛止することのできるポケット状の挿入部２１を構成している。また、図５（ｂ）は、欠設１９が表シート１４の左辺１４ｂに、開口部１２と平行に形成してあって、右辺１４ｄにある一点２０ｃから下辺１４ｃにある一点２０ｄとを放物線上にスリット２０を入れて挿入部２１を形成している。なお、図５（ａ）（ｂ）ともに挿入部２１には、スリット２０に平行で裏シート１５側に突出したけい線２２を形成している。
【００２３】
本実施形態の収録用シート１１の左側サイドインタイプは、表シート１４の左辺１４ｂの欠設１９の形状と表シート１４に設けられたスリット２０の形状の組合せによって様々な形態をなすことができる。また、収録用シート１１の形状において、一枚のシートを折り目１３に沿って折り返し、上辺１４ａと下辺１４ｃとが熱融着によって閉鎖して袋形状に形成させているが、収録用シート１１が筒状に形成されたものを用いれば、右辺１４ｄの一辺を熱融着により閉鎖することによって製作において時間が短縮できる上、コスト的にも有利になる。
【００２４】
［第３の実施形態］
図６は第３の実施形態における収録用シートの概略斜視図、図７はその変形例を示す概略斜視図である。
【００２５】
図６（ａ）（ｂ）に示すように、本実施形態の収録用シート１１は、書類Ｐを挿入する開口部１２が右辺１４ｄにあるいわゆる右側サイドインタイプである。このタイプの成形方法は、ポリプロピレンなどの合成樹脂製の方形状のシートを折り目１３で２つ折りにして、その表側を表シート１４、裏側を裏シート１５とする。折り目１３側には、該折り目１３より約１０〜２０ｍｍ程度のところに示す綴じ込み線２３を超音波等によって表シート１４と裏シート１５とを熱融着し綴代部１６を形成する。綴代部１６は、長手方向に沿って綴じ込み用穴１７を一定の間隔で穿設しておく。表シート１４と裏シート１５は、上辺１４ａと下辺１４ｃとが超音波等による熱融着によって閉鎖して、右辺１４ｄを開口部１２として開放して袋状の収録部１８を形成している。
【００２６】
表シート１４の右辺１４ｄは、開口部１２と平行に欠設１９してあり、書類Ｐの綴じた部分が表シート１４側に出るように段差を構成している。また、表シート１４には、左辺１４ｂ側に、右辺１４ｄと平行なスリット２０が形成されており、それによって書類Ｐを掛止することのできるポケット状の挿入部２１を構成している。この挿入部２１には、スリット２０と平行に裏シート１５側に突起したけい線２２が設けられていて、それにより挿入部２１を表シート１４より少し浮き上がらせ、書類Ｐの誤挿入を防ぎ、また挿入した書類Ｐがずれないように抑えることができる。なお、収録用シート１１は、透明のシートにして中に収められた書類Ｐの内容をそのままの状態で読み取ることができるようになっている。
【００２７】
上記構成において、図６（ｂ）に示すように、複数枚で綴じられた書類Ｐを収録する場合は、まず一番下の書類を収録用シート１１の開口部１２から袋状の収録部１８に綴じられた部分を除いた大部分を収録して、他の上部の書類部分を、表シート１４の表側からスリット２０を通して収録部１８内の挿入部２１に掛止することによって、保管に際して書類Ｐが抜け落ちたりすることがなくなる。また、収録した書類Ｐを閲覧する場合は、袋状の収録部１８に収めている一番下の書類を含む全てを取り出すことなく、挿入部２１に掛止していた上部の書類だけを取り出すことによって全ての内容を見ることができる。
【００２８】
図７は、本実施形態における収録用シート１１の変形例の一例を示している。図７（ａ）は、欠設１９が表シート１４の右上コーナー部に形成してあって、左辺１４ｂ側に開口部１２と平行なスリット２０が形成されており、それによって書類Ｐを掛止することのできるポケット状の挿入部２１を構成している。また、図７（ｂ）は、欠設１９が表シート１４の右辺１４ｄに、開口部１２と平行に形成してあって、左辺１４ｂにある一点２０ｅから下辺１４ｃにある一点２０ｆとを放物線上にスリット２０を入れて挿入部２１を形成している。なお、図７（ａ）（ｂ）ともに挿入部２１には、スリット２０に平行で裏シート１５側に突出したけい線２２を形成している。
【００２９】
本実施形態の収録用シート１１の右側サイドインタイプは、表シート１４の右辺１４ｄの欠設１９の形状と表シート１４に設けられたスリット２０の形状の組合せによって様々な形態をなすことができる。また、収録用シート１１の形状において、一枚のシートを折り目１３に沿って折り返し、上辺１４ａと下辺１４ｃとが熱融着によって閉鎖して袋形状に形成させているが、収録用シート１１が筒状に形成されたものを用いれば、左辺１４ｂの一辺を熱融着により閉鎖することによって製作において時間が短縮できる上、コスト的にも有利になる。
【００３０】
以上、本発明の適用例を図面に基づいて説明したが、本発明において収録用シート１１は、片面だけに設けているが、表シート１４と裏シート１５の間にベースシートを挟み込み両側に収録部を備えることも構わない。更に、綴じ込み用穴１７の数に制限はなく様々なバインダーに対応してその数が設定されている。
【００３１】
【発明の効果】
以上の説明で明らかのように、本発明によれば綴じられた書類Ｐの一番下を袋状の収録部１８に収め、残りの部分を表シート１４に設けられた挿入部２１に掛止することによって保管できるようにしているので容易に収録することができ、しかも掛止した部分の書類Ｐを取り出すだけで全ての内容を簡単に閲覧することができるので、書類Ｐの収録及び閲覧が円滑に行える。
【００３２】
また、シートに綴じ込み用穴１７を穿設している収録用シート１１のため、複数のシートをバインダー等で抜き差し自由にして綴じ合わせることができ、しかも必要な書類Ｐをファイルごと抜き差しできるので取り扱いが容易である。
【図面の簡単な説明】
【図１】綴じた書類の概略斜視図
【図２】第１の実施形態における概略斜視図
【図３】第１の実施形態においての変形例を示す概略斜視図
【図４】第２の実施形態における概略斜視図
【図５】第２の実施形態においての変形例を示す概略斜視図
【図６】第３の実施形態における概略斜視図
【図７】第３の実施形態においての変形例を示す概略斜視図
【符号の説明】
Ｐ    綴じられた書類
Ｐ１  ステープル
１１  収録用シート
１２  開口部
１３  折り目
１４  表シート
１４ａ  上辺
１４ｂ  左辺
１４ｃ  下辺
１４ｄ  右辺
１５  裏シート
１６  綴代部
１７  綴じ込み用穴
１８  袋状の収録部
１９  欠設
２０  スリット
２１  挿入部
２２  突起したけい線
２３  綴じ込み線
【図１】
2004155012.tif 000003
【図２】
2004155012.tif 000004
【図３】
2004155012.tif 000005
【図４】
2004155012.tif 000006
【図５】
2004155012.tif 000007
【図６】
2004155012.tif 000008
【図７】
2004155012.tif 000009